(57)【要約】【課題】傾斜地の圃場にも効果的に給水することができる地下灌漑システムを提供する。【解決手段】。  傾斜地に設けられた耕作地１１に設置される地下灌漑システムであって、耕作地１１の傾斜方向上部側に設けられた給水路１２から傾斜方向下部側に設けられた排水路１３に向かって設けられた主給排水路１４と、主給排水路１４から分岐した複数の給排水支管１５とを備え、給排水支管１５は、耕作地１１の地中にあらかじめ設定された深さで、かつ、耕作地１１における等高線に平行な方向に埋設した有孔管である。【選択図】図１
2012095621.tif 000002
【特許請求の範囲】
【請求項１】
傾斜地に設けられた耕作地に設置される地下灌漑システムであって、前記耕作地の傾斜方向上部側に設けられた給水路から傾斜方向下部側に設けられた排水路に向かって設けられた主給排水路と、該主給排水路から分岐した複数の給排水支管とを備え、該給排水支管は、前記耕作地の地中にあらかじめ設定された深さで、かつ、該耕作地における等高線に平行な方向に埋設した有孔管であることを特徴とする地下灌漑システム。
【請求項２】
前記給排水支管は、前記給排水支管からの分岐部と反対側の端部に該給排水支管内の点検洗浄を行うための点検洗浄部を備えていることを特徴とする請求項１記載の地下灌漑システム。
【請求項３】
前記給排水支管は、前記主給排水路に立ち上がり管を介して接続され、前記主給排水路より深い位置に埋設されていることを特徴とする請求項１又は２記載の地下灌漑システム。
【請求項４】
前記主給排水路は、前記給排水支管の分岐位置に給排水支管が接続される分岐枡を備えており、該分岐枡は、前記給排水支管の接続部の下流側に水位設定部を備え、前記給排水支管は前記分岐枡の底部に対して水平方向に配置されていることを特徴とする請求項１乃至３のいずれか１項記載の地下灌漑システム。
【請求項５】
前記主給排水路は、前記耕作地の一側に沿って埋設されたパイプであることを特徴とする請求項１乃至４のいずれか１項記載の地下灌漑システム。
【請求項６】
前記耕作地は、前記給排水支管の埋設深さより深い位置に、下層の土砂を圧縮した不透水層が形成されていることを特徴とする請求項１乃至５のいずれか１項記載の地下灌漑システム。
【請求項７】
前記下層の土砂の圧縮は、耕作地の地面と平行な方向に配置される下層土圧縮刃と、該下層土圧縮刃から上方に立ち上がった圧縮刃保持部材とを備えた下層土圧縮装置を使用し、前記圧縮刃保持部材を作業機にて保持し、該作業機を作動させて前記下層土圧縮刃を地中のあらかじめ設定された深さに挿入した状態で下層土圧縮刃を地面と平行な方向に移動させることにより行われることを特徴とする請求項６記載の地下灌漑システム。
【発明の詳細な説明】
【技術分野】
【０００１】
本発明は、地下灌漑システムに関し、詳しくは、傾斜した土地に形成された畑地への灌漑を行う地下灌漑システムに関する。
【背景技術】
【０００２】
従来から行われている地下灌漑は、主に、畑作時の地下水位を調節して毛管現象により水分を補給するものであって、地下水位を作物に適した水位に調節することによって収穫量の向上を図るようにしている。この地下灌漑は、圃場の地中に有孔管を埋設し、該有孔管を介して、地中の余剰地下水を排水路に排水するとともに、不足する用水を圃場に供給するもので、有孔管の下流側には水位設定器が設置され、該水位設定器により地下水位を設定している（例えば、特許文献１参照。）。
【先行技術文献】
【特許文献】
【０００３】
【特許文献１】特許第３６７１３７３号公報
【発明の概要】
【発明が解決しようとする課題】
【０００４】
上述の特許文献を含めて従来の地下灌漑システムは、地面が水平な圃場を対象とするものであり、傾斜地においても、棚田や段々畑など、耕作部の地面を水平に整備した場所で使用することを主目的としていた。一方、傾斜が緩やかで、広い土地では、水田の場合には適当な区画に区切って地面を水平に整備する必要があるが、畑地の場合は、凹凸をならす程度で、傾斜状態のまま使用している例がほとんどである。しかし、土地が傾斜していると、雨水が傾斜に沿って流れてしまうために保水性に難点があり、さらに、土地自体の透水性が高い場合には、作物にとって慢性的な水不足状態となってしまう。また、近年の夏の暑さでは、地表から、例えばスプリンクラーで散水しても、散水した水の多くが空中で蒸発してしまい、地表面に落下した水も、表面近くを潤すだけであり、地下の作物の根の部分にはほとんど到達しないのが実情である。
【０００５】
そこで本発明は、傾斜地の圃場にも効果的に給水することができる地下灌漑システムを提供することを目的としている。
【課題を解決するための手段】
【０００６】
上記目的を達成するため、本発明の地下灌漑システムは、傾斜地に設けられた耕作地に設置される地下灌漑システムであって、前記耕作地の傾斜方向上部側に設けられた給水路から傾斜方向下部側に設けられた排水路に向かって設けられた主給排水路と、該主給排水路から分岐した複数の給排水支管とを備え、該給排水支管は、前記耕作地の地中にあらかじめ設定された深さで、かつ、該耕作地における等高線に平行な方向に埋設した有孔管であることを特徴としている。
【０００７】
さらに、本発明の地下灌漑システムは、前記給排水支管が前記給排水支管からの分岐部と反対側の端部に該給排水支管内の点検洗浄を行うための点検洗浄部を備えていること、前記給排水支管が前記主給排水路に立ち上がり管を介して接続され、前記主給排水路より深い位置に埋設されていること、前記主給排水路は、前記給排水支管の分岐位置に給排水支管が接続される分岐枡を備えており、該分岐枡は、前記給排水支管の接続部の下流側に水位設定部を備え、前記給排水支管は前記分岐枡の底部に対して水平方向に配置されていること、前記主給排水路が前記耕作地の一側に沿って埋設されたパイプであることを特徴としている。
【０００８】
また、前記耕作地が前記給排水支管の埋設深さより深い位置に、下層の土砂を圧縮した不透水層が形成されていること、前記下層の土砂の圧縮は、耕作地の地面と平行な方向に配置される下層土圧縮刃と、該下層土圧縮刃から上方に立ち上がった圧縮刃保持部材とを備えた下層土圧縮装置を使用し、前記圧縮刃保持部材を作業機にて保持し、該作業機を作動させて前記下層土圧縮刃を地中のあらかじめ設定された深さに挿入した状態で下層土圧縮刃を地面と平行な方向に移動させることにより行われることを特徴としている。
【発明の効果】
【０００９】
本発明の地下灌漑システムによれば、主給排水路から分岐した給排水支管を等高線に平行な方向に埋設しているので、主給排水路から給排水支管に流入した用水を給排水支管の全長にわたって均等に導くことができる。これにより、耕作区全体の地下灌漑を確実に行うことができる。特に、給排水支管の埋設深さより深い位置に不透水層を形成しておくことにより、耕作区内への地下灌漑を、少ない用水量でより確実に行うことができる。さらに、水位設定部を備えた分岐枡を設けることにより、地下水位の調整が可能になるとともに、暗渠排水機能も付与することができる。
【図面の簡単な説明】
【００１０】
【図１】本発明の地下灌漑システムの一形態例を示す平面図である。
【図２】同じく地下灌漑システムの断面図である。
【図３】地下供給管と有孔管との分岐部の一例を示す断面図である。
【図４】点検洗浄部の一例を示す断面図である。
【図５】不透水層を形成する作業状態の一例を示す説明図である。
【図６】不透水層を形成する下層土圧縮装置の一例を示す正面図である。
【図７】地下水位設定用の分岐枡の一例を示す断面側面図である。
【図８】同じく分岐枡の平面図である。
【発明を実施するための形態】
【００１１】
図１乃至図５は、本発明の地下灌漑システムの一形態例を示すもので、本形態例に示す耕作地１１は、略長方形状に区画されており、水平線Ｈに対して、図１における右上側の標高が高く、左下側に向かって緩やかな下り勾配を有する斜面となっており、耕作区１１内の傾斜角度は、凹凸の存在によって僅かに異なったものとなっている。
【００１２】
耕作地１１の傾斜方向上部側の短辺１１ａの近傍には、該短辺１１ａに沿うようにして給水路１２が設けられており、耕作地１１の傾斜方向下部側の短辺１１ｂの近傍には、該短辺１１ｂに沿うようにして排水路１３が設けられている。さらに、耕作地１１の傾斜方向下部側の長辺１１ｃの近傍には、下り勾配を有する主給排水路１４が長辺１１ｃに沿うようにして設けられており、該主給排水路１４の上流側は、給水口１２ａを介して前記給水路１２に接続され、主給排水路１４の下流側は前記排水路１３に接続されている。なお、給水路１２、排水路１３及び主給排水路１４は、状況に応じて開放型の水路で形成してもよく、パイプラインで形成することもできる。
【００１３】
前記主給排水路１４からは、複数の給排水支管１５が分岐している。この給排水支管１５は、周壁に通水孔を有する有孔管からなるものであって、耕作区１１の傾斜度や土質、作物の種類などの条件に応じて設定された間隔及び深さで地中に埋設されている。給排水支管１５の軸線は、耕作区１１を通る標高線に平行な方向、すなわち、等高線に沿う方向になるように設定されており、長辺１１ｃに沿う方向に設けられて下り勾配を有する前記主給排水路１４に対して耕作区１１を斜めに横切る状態で設けられている。
【００１４】
一つの耕作区１１内で傾斜角度や傾斜方向が異なっている場合、図１に示すように、各給排水支管１５を埋設する部分を通る等高線に合わせて給排水支管１５の方向をそれぞれ設定し、給排水支管１５を等高線に合わせて屈曲させることにより、給排水支管１５の埋設深さを一定にすることができ、より確実な地下灌漑を行うことができるが、傾斜角度の変化が小さく、全ての給排水支管１５を平行に設けても給排水支管１５の埋設深さが大きく異なることがなければ、全ての給排水支管１５を平行に設けてもよい。さらに、等高線が大きく屈曲して隣接する給排水支管１５同士の間隔が大きく開きすぎたり、近付きすぎたりするような場合は、給排水支管１５を分岐させたり、合流させたりすることも可能であり、給水路１２から直接的に給排水支管１５を分岐させることも可能である。
【００１５】
また、図３に示すように、給排水支管１５の基部の分岐側は、主給排水路１４に立ち上がり管１６を介して接続されており、主給排水路１４より深い位置に給排水支管１５を配置している。これにより、給水路１２から供給されて主給排水路１４を流れる用水を、主給排水路１４から給排水支管１５に確実に流入させることができるとともに、給排水支管１５内の用水に立ち上がり管１６の高さ分の水頭圧を与えることができるので、給排水支管１５に流入した用水を給排水支管１５の先端までより確実に行き渡らせることができ、耕作区１１全体の地下灌漑を確実に行うことができる。さらに、地下灌漑時の地下水位を主給排水路１４の埋設深さで設定することができ、例えば、果実用樹木への用水供給など、地下水位を大きく変化させない用途に適用する際には、水位の設定を簡単かつ確実に行うことができる。
【００１６】
一方、図４に示すように、給排水支管１５の先端には、該給排水支管内の点検洗浄を行うための点検洗浄部１７が設けられている。この点検洗浄部１７は、主給排水路１４から給排水支管１５に流入した用水が給排水支管１５の先端まで到達しているか否かを点検するとともに、用水が給排水支管１５の先端まで到達していなかった場合に、給排水支管１５の先端開口からパイプクリーナーを挿入して給排水支管１５内に溜まった土砂などを排出して給排水支管１５内の洗浄を行うためのものである。点検洗浄部１７は、給排水支管１５の先端部を収納する上方が開口した枡部材１７ａと、該枡部材１７ａの開口に開閉可能に設けられた蓋部材１７ｂとで形成され、給排水支管１５の先端開口にはキャップ１５ａが装着されている。
【００１７】
さらに、本形態例では、前記給排水支管１５の埋設深さより深い位置に、下層の土砂を圧縮した不透水層１８が形成されている。この不透水層１８は、例えば、火山灰地のように、透水性が大きな土地に耕作区を形成する場合に必要に応じて設けられ。不透水層１８は、耕作区を所定深さに掘り起こした後に、固形粘土を敷きつめて締め固める方法（特開平７−５０９３８号公報参照）やセメントやアスファルトなどの止水材を混合する方法（特開平２−４２９０３号公報参照）などの方法で形成することが可能である。
【００１８】
さらに、図５及び図６に示すように、耕作地１１の地面と平行な方向に配置される下層土圧縮刃２１と、該下層土圧縮刃２１から上方に立ち上がった圧縮刃保持部材２２と、該圧縮刃保持部材２２の上部に設けられた作業機装着部２３とを備えた下層土圧縮装置２４を使用し、作業機装着部２３を作業機２５に装着した状態で作業機２５を作動させ、下層土圧縮刃２１を地中に挿入して地面と平行な方向に移動させることにより、下層土圧縮刃２１が通過した部分の下層に、下層土を押し固めた状態の不透水層１８を形成することができる。このように、バックホーやブルドーザなどの作業機２５に下層土圧縮装置２４を装着して作業機２５を走行作動させたり、アーム２５ａを屈曲作動させたりして不透水層１８を形成することにより、耕作区１１の上層部を掘り起こしたりすることなく、給排水支管１５の埋設深さより深い、地中のあらかじめ設定された深さ位置に不透水層１８を形成することができ、耕作区１１の所定位置に不透水層１８を短時間で容易に、かつ、経済的に形成することができる。
【００１９】
このような不透水層１８を耕作区１１に形成してから前記主給排水路１４及び給排水支管１５を施工して地下灌漑を行うことにより、給排水支管１５から地中に供給された用水が下層に流れ出すことを防止でき、少ない用水量で耕作区１１の地下水位を確実に保持することができる。
【００２０】
また、図７及び図８に示すように、主給排水路１４から給排水支管１５が分岐する位置に分岐枡３１を設けておくこともできる。この分岐枡３１は、上部が開口した箱形の枡本体の対向する内面に水位設定を行うための堰板３２を着脱可能に装着するための堰板装着溝３３を形成し、堰板装着溝３３の位置よりも上流側に主給排水路１４の上流側流路１４ａと給排水支管１５とをそれぞれ接続するとともに、堰板装着溝３３の位置よりも下流側に下流側流路１４ｂを接続したものである。
【００２１】
給排水支管１５と下流側流路１４ｂとは、枡本体の底部にそれぞれ開口するように接続されており、給排水支管１５は、前述のような立ち上がり管を介さずに枡本体の底部側面から水平方向に延設され、給排水支管１５内の用水が枡本体内に流入可能な状態に形成され、下流側流路１４ｂは、枡本体内の用水を下流側流路１４ｂを介して排水路１３に排出可能な状態に形成されている。なお、上流側流路１４ａの位置は、上流側流路１４ａから枡本体内に用水が流入可能な任意の位置に設けることができる。また、枡本体の上部開口には着脱可能な蓋が設けられる。
【００２２】
このような分岐枡３１を給排水支管１５の分岐位置に設けておき、堰板装着溝３３に装着する堰板３２の高さを変更することにより、耕作区１１の地下水位を堰板３２の高さによって設定することができるので、耕作区１１の地下水位を、栽培する作物に適した地下水位に設定することができる。例えば、幅１０ｃｍの板を堰板３２として使用した場合、堰板３２の装着枚数を変えることにより、１０ｃｍ単位で地下水位を設定することができる。また、全ての堰板３２を取り外すことにより、給排水支管１５内の用水を分岐枡３１から下流側流路１４ｂを介して排水路１３に排出することができるので、耕作区１１内に溜まった余剰の地下水を給排水支管１５から速やかに排出することができる。
【符号の説明】
【００２３】
１１…耕作地、１１ａ…短辺、１１ｂ…短辺、１１ｃ…長辺、１２…給水路、１２ａ…給水口、１３…排水路、１４…主給排水路、１４ａ…上流側流路、１４ｂ…下流側流路、１５…給排水支管、１５ａ…キャップ、１６…立ち上がり管、１７…点検洗浄部、１７ａ…枡部材、１７ｂ…蓋部材、１８…不透水層、２１…下層土圧縮刃、２２…圧縮刃保持部材、２３…作業機装着部、２４…下層土圧縮装置、２５…作業機、２５ａ…アーム、３１…分岐枡、３２…堰板、３３…堰板装着溝、Ｈ…水平線
【図１】
2012095621.tif 000003
【図２】
2012095621.tif 000004
【図３】
2012095621.tif 000005
【図４】
2012095621.tif 000006
【図５】
2012095621.tif 000007
【図６】
2012095621.tif 000008
【図７】
2012095621.tif 000009
【図８】
2012095621.tif 000010